(57)【要約】      （修正有）【課題】携帯が容易で、繰り返し使用可能で環境に優しく、多用途な買い物袋を提供する。【解決手段】買い物袋１は、耐久性と可撓性を備えた四角形のシートの一対の周縁部を内側に折り曲げ、その端縁部に沿ってシートに接合して第１紐通し部３を形成し、第１紐通し部３中の左右対称な２箇所に、第１紐挿入穴３ａを形成し、さらにもう一対の周縁部を内側に折り曲げ、その端縁部に沿ってシートに接合して第２紐通し部４を形成し、第１紐５および第２紐６をそれぞれの紐挿入穴３ａ,４ａからそれぞれ第１紐通し部３及び第２紐通し部４に通し、各第１紐５の両端を引っ張ってシート状本体２を縮め、各第２紐６の両端を引っ張ってシート状本体２を縮めるように構成した。【選択図】図１
0003122596.tif 000002
【実用新案登録請求の範囲】
【請求項１】
四角形のシートの互いに対向する一対の周縁部を内側に折り曲げ、その端縁部に沿ってシートに接合して一対の第１紐通し部を形成し、
該各第１紐通し部中の左右対称な２箇所に、第１紐挿入穴を形成し、
さらにもう一対の互いに対向する周縁部を内側に折り曲げ、その端縁部に沿ってシートに接合して一対の第２紐通し部を形成し、
該各第２紐通し部の両端部に第２紐挿入穴を形成することによって、耐久性と可撓性を備えたシート状本体を形成し、
前記第１紐通し部の１つの第１紐挿入穴から１本の第１紐を挿入して対になるもう１つの第１紐挿入穴から出すようにして、各第１紐通し部にそれぞれ第１紐を通し、
前記第２紐通し部の１つの第２紐挿入穴から１本の第２紐を挿入して対になるもう１つの第２紐挿入穴から出すようにして、各第２紐通し部にそれぞれ第２紐を通し、
前記各第１紐の両端を引っ張って前記シート状本体を縮め、前記各第２紐の両端を引っ張って前記シート状本体を縮めるように構成したことを特徴とする買い物袋。
【請求項２】
前記シート状本体が合成樹脂、織布地または不織布からなることを特徴とする請求項１の買い物袋。
【請求項３】
前記シート状本体が、木綿からなることを特徴とする請求項１の買い物袋。
【請求項４】
前記第１紐及び／または第２紐の両端に、玉または結び目を設けることを特徴とする請求項１乃至３いずれかの買い物袋。
【請求項５】
前記第１紐及び／または第２紐の中央付近を前記シート状本体に接合することを特徴とする請求項１乃至３いずれかの買い物袋。
【請求項６】
前記第１紐の両端に玉または結び目を設け、前記第２紐の中央付近を前記シート状本体に接合することを特徴とする請求項１乃至３いずれかの買い物袋。
【請求項７】
前記第２紐の幅が前記第１紐の幅より広いことを特徴とする請求項１乃至６いずれかの買い物袋。
【請求項８】
前記シートが風呂敷であることを特徴とする請求項１乃至７いずれかの買い物袋。
【考案の詳細な説明】
【技術分野】
【０００１】
本考案は、携帯が容易で、繰り返し使用可能で環境に優しく、多用途な買い物袋の構造に関する。
【背景技術】
【０００２】
以前は、買い物をする際に、買い物籠や買い物袋等を店まで各自持参するのが一般的であったが、ここ２〜３０年は、空の買い物籠等を店まで持ち運ぶ労力を省略できる利便性から、スーパーマーケットや八百屋、魚屋等において通常の買い物を包装する包装材として、かさばらず取扱が便利でしかも安価なビニルやポリエチレン等の合成樹脂製あるいは紙製の種々の寸法の袋が、店から提供される形で広く利用されている。また、実開平５−７２７４４には、多角形のシート状本体の周縁部に沿って紐通し部を形成し、紐通し部に紐を通し、紐を引っ張ることによって袋状となるように構成され、観賞用の花や植木鉢等の包装に使用される、品物の損傷をしないようにした紐付きの買い物袋について開示されている。
【考案の開示】
【考案が解決しようとする課題】
【０００３】
近年、環境への配慮の高まりとともに、繰り返し使用できる環境に優しい買い物袋を見直す声が高まってきている。しかし、以前使用されていた買い物籠や買い物袋には、空のときもかさばり、携帯が面倒であるという問題点があった。また、最近は、小さく折りたたむことのできる携帯用買い物袋も市販されているが、既に袋状に形成されているため、空のときには用途がなかった。
【０００４】
そこで、本考案は、携帯が容易で、繰り返し使用可能で環境に優しく多用途な買い物袋を提供することを目的としている。
【課題を解決するための手段】
【０００５】
上記目的を達成するために、本考案による買い物袋は、四角形のシートの互いに対向する一対の周縁部を内側に折り曲げ、その端縁部に沿ってシートに接合して一対の第１紐通し部を形成し、該各第１紐通し部中の左右対称な２箇所に、第１紐挿入穴を形成し、さらにもう一対の互いに対向する周縁部を内側に折り曲げ、その端縁部に沿ってシートに接合して一対の第２紐通し部を形成し、該各第２紐通し部の両端部に第２紐挿入穴を形成することによって、耐久性と可撓性を備えたシート状本体を形成し、前記第１紐通し部の１つの第１紐挿入穴から１本の第１紐を挿入して対になるもう１つの第１紐挿入穴から出すようにして、各第１紐通し部にそれぞれ第１紐を通し、前記第２紐通し部の１つの第２紐挿入穴から１本の第２紐を挿入して対になるもう１つの第２紐挿入穴から出すようにして、各第２紐通し部にそれぞれ第２紐を通し、前記各第１紐の両端を引っ張って前記シート状本体を縮め、各第２紐の両端を引っ張って前記シート状本体を縮めるように構成したことを特徴としている。
【０００６】
四角形のシート状本体は、袋としての十分な耐久性と可撓性を備え、繰り返し使用できるものであれば、その使用目的に応じて合成樹脂、織布地、不織布の何を使用してもよいが、環境に優しい買い物袋という観点からは、木綿を使用することが好ましい。
【０００７】
また、各紐の両端部に紐の脱落を防止するための玉や結び目を設けるか、または、紐と紐通し部を中央付近で接合して、紐の脱落を防ぐ構造とすることが好ましい。
【０００８】
第１紐には、結びやすさを重視した幅の狭い紐を、第２紐には、取手としての使い勝手を加味したやや幅の広い紐を使用することが好ましい。
【考案の効果】
【０００９】
本考案の買い物袋は、耐久性のある素材を使用しているので、繰り返し使用することができ、スーパーマーケット等で提供される使い捨ての買い物袋と比べて環境に優しい。
【００１０】
しかも、本考案の買い物袋は、上記のように第１紐及び第２紐を引っ張って結び、袋状とすることによって、買い物袋として使用するものであるが、第１紐及び第２紐が引っ張られていない状態ではシート状（風呂敷状）になっており、小さく折りたたんで携帯することができるため、従来の買い物籠や買い物袋のように空のときにもかさばるという問題を解消することができる。
【００１１】
携帯が便利という点では古来ある風呂敷も同様であるが、本考案の買い物袋は、古来のの風呂敷と比べ、袋状にしたときに取手があるので持ち運びし易く、また、同じシート面積では、四隅を結ぶ構造の風呂敷よりも袋としての容積が大きく、さらに、袋状にしたときの美観に優れている。
【００１２】
また、最近は、携帯用の買い物小さく折りたたむことのできる携帯用買い物袋も市販されているが、既に袋状に形成されているため、空のときには用途がなかったのに比べ、本考案の買い物袋は、紐を引っ張っていない状態ではシート状であるので、空のときには、肌寒いときに膝掛けやスカーフとして使用したり、また一方の第２紐を結んで首にかけることにより、エプロンとして使用したりすることもできる。また、従来の風呂敷として使用することもでき、一つの買い物袋で広範な用途に対応することができる。
【００１３】
また、実開平５−７２７４４の買い物用包装材は、素材によっては、携帯用の買い物袋として使用することも可能であるが、シート状本体の周囲に通した１本の紐を引っ張って袋状にする構造であるので、袋の形状の調節性等の面で制限があった。これに対し、本考案は、１対の第１紐と１対の第２紐が別個に設けられているので、袋の形状、容量を調節する自由度が格段に増している。また、製作過程において、予想される用途に合わせて、第１紐挿入穴の位置を変えることによっても、さらに袋の形状、容量を調節することができる。
【００１４】
また、第１紐は専らシート状本体を縮めて袋状にする目的で使用されるものであり、第２紐は、この目的に加え、さらに取手の目的で使用されるものであるので、第１紐には結びやすさを重視した幅の狭い紐を使用し、第２紐には、取手として適するようにやや幅の広い紐を使用することもできるが、これも第１紐と第２紐を別個にしたことによって得られる効果である。
【００１５】
シート状本体は、袋としての十分な耐久性と可撓性を備え、繰り返し使用できるものであれば、その使用目的に応じて何を使用してもよいが、木綿等の天然繊維を使用することにより、廃棄時に焼却しても有害ガスを発生することがなく、さらには、焼却しなくても生物分解によって土に戻る環境に優しい買い物袋とすることができる。また、特に木綿は、手に持った時の肌触りがよく、耐久性に優れており、さらに、適度な摩擦や硬さを備えていることにより袋の形状を適切に保つことができる。また、概して、薄手の素材を使用した場合は軽量で携帯が容易であるという利点があり、厚手の素材を使用した場合には、耐久性に優れ、ひざ掛けとして暖かいなどの利点がある。
【００１６】
第１紐及び／または第２紐の両端部に玉や結び目を設けたり、第１紐及び／または第２紐とそれぞれの紐通し部を中央付近で接合したりすることにより、紐の脱落を防止することができる。
【考案を実施するための最良の形態】
【００１７】
以下図面を参照して本考案の実施例について説明する。図１は、本考案の１実施例の買い物袋１をシート状にした状態で示している。袋の外側に相当する面を正面として基準にとることにより、図１（ａ）は、本実施例の買い物袋１の背面図を、図１（ｂ）は平面図を、図１（ｃ）は正面図を、図１（ｄ）は側面図を示している。
【００１８】
図１（ａ）に示すように、買い物袋１のシート状本体２は、四角形のシートの互いに対向する一対の周縁部を内側に折り曲げ、その端縁部に沿って縫い合わせることによってシートと接合して一対の第１紐通し部３を形成し、該各第１紐通し部中の左右対称な２箇所に、第１紐挿入穴３ａを形成し、さらにもう一対の互いに対向する周縁部を内側に折り曲げ、その端縁部に沿って縫い合わせることによってシートと接合して一対の第２紐通し部４を形成し、該各第２紐通し部４の両端部に第２紐挿入穴４ａを形成することによって形成されている。シート状本体２の素材は、袋としての耐久性と可撓性を備えてさえいれば制限はないが、本実施例では三河木綿を用いている。
【００１９】
このようにして形成されたシート状本体の第１紐挿入穴３ａの１つに１本の第１紐５を挿入し、対になるもう１つの第１挿入穴３ａから出すようにして、各第１紐通し部３にそれぞれ第１紐５を１本ずつ通す。同様に、第２挿入穴４ａの１つに１本の第２紐６を挿入して対になるもう１つの第２挿入穴４ａから出すようにして、各第２紐通し部４にそれぞれ第２紐６を１本ずつ通す。第１紐５も第２紐６も、紐として機能しさえすれば、素材、幅等に制限はないが、本実施例では、第１紐５には、結び易く、容易に入手可能な市販の組紐を使用し、第２紐には、取手としても使用し易くまた結び易い幅に設定された共の木綿を使用している。また、各第１紐５の両端に玉５ａを配置し、各第２紐６の中央部とそれぞれの第２紐通し部の中央部を縫い目７によって接合している。
【００２０】
各第１紐５の両端を図１の矢印Ａ方向に引っ張ってシート状本体２を縮めて両端を結び、各第２紐６の両端を矢印Ｂ方向に引っ張ってシート状本体２を縮め、取手となるように両端を結ぶことにより、図２に示すような袋状となり、買い物袋として使用することができる。
【００２１】
また、空のときには、図３に１例を示すように折りたたんで携帯する。図３（ａ）は正面図、（ｂ）は側面図である。図３は折りたたみ方の１例であるが、もちろん、携帯する人の好みに合わせて、どのように折りたたんでもよい。
【００２２】
本実施例の買い物袋は、空のときにはシート状に戻して小さく折りたたむことができるため、携帯に便利である。携帯に便利な買い物袋を提供することによって、買い物袋の持参を促進することができ、これにより、スーパーマーケット等で提供される使い捨ての買い物袋の使用量を削減し、地球環境に貢献することができる。また、空のときにシート状に戻すことができるため、買い物袋として使用していないときには膝掛けやスカーフ、風呂敷等として使用できるという、従来の買い物袋にはなかった付加価値があるので、さらに買い物袋の持参を促進することができる。１本の第２紐６の両端を結んで首にかけることにより、エプロンとしても使用することができる。なお、膝掛けやスカーフとして使用できるという特徴は、例えば、バス旅行等に携帯すると、車内が冷房で肌寒いときなどに使用でき、重宝する。
【００２３】
本実施形態では、一対の第１紐５と一対の第２紐６を別個に設けているため、第１紐５と第２紐６の引っ張り方を加減することにより、中身に合わせて、買い物袋としての大きさ、縦横比を調節することができる。また、製作時に、予想される用途に合わせて第１紐挿入穴５ａの位置を調節することによっても、買い物袋としたときの縦横比を調節することができる。このように、縦横比を調節できることにより、中身の自由度が大きくなる。
【００２４】
また、本実施例では、シート状本体及び第２紐６の素材に三河木綿を使用しているので、耐久性に優れ、しかも、手触りが良く、袋としての形状を保つのに適当な摩擦と硬さを備えている。さらに、三河木綿には独特の風合いがあり、美観にも優れている。また、三河木綿は天然素材であるので、廃棄時に焼却しても有害ガスが発生せず、さらには焼却しなくても生物分解により土に戻るので地球温暖化の原因となる二酸化炭素を発生せず、廃棄時まで環境に優しい理想的な素材である。
【００２５】
また、本実施例では、各第１紐５の両端に玉５ａを配置しているので、各第１紐５が、それぞれの第１紐通し部３から脱落するのを防止することができ、また、各第２紐６の中央部とそれぞれの第２紐通し部４の中央部を縫い目７によって接合しているので、各第２紐６がそれぞれの第２紐通し部４から脱落するのを防止することができる。
【図面の簡単な説明】
【００２６】
【図１】（ａ）は本考案の１実施例の買い物袋のシート状にした状態での背面図を、（ｂ）は同平面図を、（ｃ）は同正面図を、（ｄ）は同側面図を示している。
【図２】図１の買い物袋の買い物袋状にした状態での正面図。
【図３】図１の買い物袋を折りたたんだ状態の１例であり、（ａ）は正面図、（ｂ）は側面図を示している。
【符号の説明】
【００２７】
１・・・買い物袋
２・・・シート状本体
３・・・第１紐通し部
３ａ・・・第１紐挿入穴
４・・・第２紐通し部
４ａ・・・第２紐挿入穴
５・・・第１紐
６・・・第２紐
７・・・縫い目
【図１】
0003122596.tif 000003
【図２】
0003122596.tif 000004
【図３】
0003122596.tif 000005